(57)【要約】【課題】自走機能を備える円盤状の自走式掃除機を装飾するための自走式掃除機用装飾具であって、前記自走式掃除機の形態を、各使用者の好みに応じて、容易、且つ低コストで変更することができる、自走式掃除機用装飾具の提供を課題とする。【解決手段】自走機能を備える円盤状の自走式掃除機１００を装飾するための自走式掃除機用装飾具であって、前記自走式掃除機１００の上面を装飾する、装飾シート１１（２１１、又は３１１）や装飾カバー４０１Ａなどの装飾手段を備える。【選択図】図３
2014000227.tif 000002
【特許請求の範囲】
【請求項１】
自走機能を備える円盤状の自走式掃除機を装飾するための自走式掃除機用装飾具であって、
前記自走式掃除機の上面を装飾する装飾手段を備える、
ことを特徴とする自走式掃除機用装飾具。
【請求項２】
前記装飾手段は、カバー部材を有する、
ことを特徴とする、請求項１記載の自走式掃除機用装飾具。
【請求項３】
前記装飾手段は、シール部材を有する、
ことを特徴とする、請求項１、又は２記載の自走式掃除機用装飾具。
【請求項４】
前記シール部材は、複数の構成部材に分割される、
ことを特徴とする、請求項３記載の自走式掃除機用装飾具。
【請求項５】
前記装飾手段は、
植毛が施され、
先端部を床面に接触させつつ、前記自走式掃除機に連結される付属部品を有する、
ことを特徴とする、請求項１、２、３、又は４記載の自走式掃除機用装飾具。
【発明の詳細な説明】
【技術分野】
【０００１】
本発明は、自走機能を備える円盤状の自走式掃除機に装飾を施すための、自走式掃除機用装飾具の技術に関して、より詳しくは、自走式掃除機の平面視における形態を、各使用者の好みに応じて、容易に変更することができる、自走式掃除機用装飾具の技術に関する。
【背景技術】
【０００２】
近年、家電業界においては、自走機能を備える自走式掃除機が、大いに注目されている（例えば「特許文献１」を参照。）。
前記自走式掃除機は、例えば、略円盤状の外観を有して構成され、運転時においては、使用者の意思とは無関係に任意の方向に自走するとともに、運転終了時においては、予め定められた所定の場所（より詳しくは、充電器が備えられている場所）へと自動的に戻るようになっている。
このようなことから、従来、自走式掃除機の使用者からは、該自走式掃除機に対して、掃除機としての機能だけでなく、例えば、ペット型ロボットのような愛らしい外観など、各使用者の好みに応じた形態を備えることが切望されていた。
しかし、一般的に、自走式掃除機の筐体は、軽量且つ高剛性の硬質プラスチックなどにより形成されるため、主にグレーや黒の色調からなるものが多く、無機質な外観となっている。また、一部の自走式掃除機においては、グレーや黒以外の鮮やかな色彩を有した筐体を備えるものも存在するが、その殆どが単一色であり、やはり無機質な外観となっている。
【０００３】
そこで、例えば、製造工程において、硬質プラスチックからなる筐体の表面に、予め模様を印刷しておき、自走式掃除機の外観について、例えば、愛らしい生き物を想起させるような装飾などを、各使用者の好みに応じて施すことが考えられる。
しかし、使用者のデザインの好みは各人各様であり、該使用者の要望に応じて、様々なデザインを施した筐体を備える自走式掃除機を製造して供給することは、コスト的にも困難であり、現実的ではない。
【先行技術文献】
【特許文献】
【０００４】
【特許文献１】特開２００９−２３８０５５号公報
【発明の概要】
【発明が解決しようとする課題】
【０００５】
本発明は、以上に示した現状の問題点を鑑みてなされたものであり、自走機能を備える円盤状の自走式掃除機を装飾するための自走式掃除機用装飾具であって、前記自走式掃除機の形態を、各使用者の好みに応じて、容易、且つ低コストで変更することができる、自走式掃除機用装飾具の提供を課題とする。
【課題を解決するための手段】
【０００６】
本発明の解決しようとする課題は以上の如くであり、次にこの課題を解決するための手段を説明する。
【０００７】
即ち、請求項１においては、自走機能を備える円盤状の自走式掃除機を装飾するための自走式掃除機用装飾具であって、前記自走式掃除機の上面を装飾する装飾手段を備えるものである。
【０００８】
請求項２においては、請求項１記載の自走式掃除機用装飾具であって、前記装飾手段は、カバー部材を有する、ものである。
【０００９】
請求項３においては、請求項１、又は２記載の自走式掃除機用装飾具であって、前記装飾手段は、シール部材を有するものである。
【００１０】
請求項４においては、請求項３記載の自走式掃除機用装飾具であって、前記シール部材は、複数の構成部材に分割されるものである。
【００１１】
請求項５においては、請求項１、２、３、又は４記載の自走式掃除機用装飾具であって、前記装飾手段は、植毛が施され、先端部を床面に接触させつつ、前記自走式掃除機に連結される付属部品を有するものである。
【発明の効果】
【００１２】
本発明の効果として、以下に示すような効果を奏する。
即ち、本発明における自走式掃除機用装飾具によれば、自走機能を備える円盤状の自走式掃除機の形態を、各使用者の好みに応じて、容易、且つ低コストで変更することができる。
【図面の簡単な説明】
【００１３】
【図１】本発明の第一実施形態に係る自走式掃除機用装飾具において、装飾シールの全体的な構成を示した図であって、（ａ）はその平面図、（ｂ）は（ａ）中の矢印Ｘの方向から見た断面側面図。
【図２】同じく、第一実施形態の自走式掃除機用装飾具において、装飾シートを構成パーツごとに示した図であって、（ａ）は本体シートを示した平面図、（ｂ）は第一部分シートを示した平面図、（ｃ）は第二部分シートを示した平面図、（ｄ）は第三部分シートを示した平面図、（ｅ）は第四部分シートを示した平面図、（ｆ）は付属部品を示した平面図。
【図３】同じく、第一実施形態の自走式掃除機用装飾具を備えた、自走式掃除機の全体的な構成を示した平面図。
【図４】付属部品のみが組み付けられた自走式掃除機の全体を示した後方斜視図。
【図５】本発明の第二実施形態に係る自走式掃除機用装飾具において、装飾シールの全体的な構成を示した図であって、（ａ）はその平面図、（ｂ）は（ａ）中の矢印Ｙの方向から見た断面側面図。
【図６】同じく、第二実施形態の自走式掃除機用装飾具において、装飾シートを構成パーツごとに示した図であって、（ａ）は本体シートを示した平面図、（ｂ）は第一部分シートを示した平面図、（ｃ）は第二部分シートを示した平面図、（ｄ）は第三部分シートを示した平面図。
【図７】同じく、第二実施形態の自走式掃除機用装飾具を備えた、自走式掃除機の全体的な構成を示した平面図。
【図８】本発明の第三実施形態に係る自走式掃除機用装飾具において、装飾シールの全体的な構成を示した図であって、（ａ）はその平面図、（ｂ）は（ａ）中の矢印Ｚの方向から見た断面側面図。
【図９】同じく、第三実施形態の自走式掃除機用装飾具において、装飾シートを構成パーツごとに示した図であって、（ａ）は本体シートを示した平面図、（ｂ）は第一部分シートを示した平面図、（ｃ）は第二部分シートを示した平面図、（ｄ）は第三部分シートを示した平面図、（ｅ）は第四部分シートを示した平面図。
【図１０】同じく、第三実施形態の自走式掃除機用装飾具を備えた、自走式掃除機の全体的な構成を示した平面図。
【図１１】第一乃至第三実施形態以外の別実施形態であって、カバータイプの自走式掃除機用装飾具を備えた、自走式掃除機の全体的な構成を示した斜視図。
【発明を実施するための形態】
【００１４】
次に、発明の実施の形態を説明する。
【００１５】
［自走式掃除機用装飾具１（第一実施形態）］
先ず、第一実施形態における自走式掃除機用装飾具１の構成について、図１乃至図４を用いて説明する。
なお、以下の説明に関しては便宜上、図３及び図４における矢印Ａの方向を前方と規定して記述する。
【００１６】
本実施形態における自走式掃除機用装飾具１（以下、「装飾具１」と記載する）は、図３に示すように、自走式掃除機１００を装飾するためのものである。
ここで、前記自走式掃除機１００は、自走機能を備える既知の自走式掃除機であって、略円盤状の外観を有して構成される。
【００１７】
そして、装飾具１は、自走式掃除機１００の上面の略全面に渡って配設される。
これにより、自走式掃除機１００の形態は、最も人の目に付く平面視の形態において、装飾具１によって装飾され、前記自走式掃除機１００の各使用者の好みに応じた形態（例えば、あたかも自走する愛らしい生き物を想起させる形態）に擬態化されるのである。
【００１８】
装飾具１は、装飾手段である装飾シール１Ａや付属部品１Ｂなどにより構成される。
前記装飾シール１Ａは、自走式掃除機１００の上面の略全面に貼着され、平面視における該自走式掃除機１００の形態を装飾するためのものである。
装飾シール１Ａは、図１（ｂ）に示すように、装飾シート１１や台紙１２などにより構成される。
【００１９】
装飾シート１１は、自走式掃除機１００の上面に直接貼着される部材である。
装飾シート１１は、例えば、耐水性に優れたシート状の合成樹脂や紙などによって形成され、その表面には、後述する所定の図柄が印刷される一方、その裏面には、昜剥離性粘着剤からなる粘着層１３が形成される。
【００２０】
なお、装飾シート１１の構成については、本実施形態に示されるような一枚のシート状のものに限られず、例えば、複数のシート状の部材からなる積層構造のものや、二枚のシート状部材の間にクッション部材を設けた構造のものなどであってもよい。
【００２１】
そして、装飾シート１１は、粘着層１３を介して、後述する台紙１２と剥離可能に貼着される。
なお、以下の記載においては、剥離可能に貼着されることを「仮着」と記載する。
【００２２】
台紙１２は、装飾シート１１の使用時までに、粘着層１３が外部に露出することを防ぐため部材である。
台紙１２は、例えば、離型性に優れたシート状の合成樹脂や紙などによって形成される。また、台紙１２は、装飾シート１１と同形状に形成される。
【００２３】
そして、台紙１２は、装飾シート１１の裏面側に積層されつつ仮着されることとなり、これにより、粘着層１３が、台紙１２によって全面を覆われることとなる。
【００２４】
このような構成からなる装飾シール１Ａにおいて、装飾シート１１の表面には、自走式掃除機１００の各使用者の好みに応じた形態、例えば、所定の生き物に関する図柄が印刷される。
即ち、図１（ａ）に示すように、第一実施形態における装飾シート１１の表面には、デフォルメされた「猫」の図柄が印刷される。
【００２５】
前記「猫」の図柄の輪郭１１ａは、自走式掃除機１００の上面の輪郭に即して描かれている。また、装飾シート１１には、台紙１２にまで到達する切込みが、前記輪郭１１ａを表す曲線上に入れられている。
これにより、装飾シート１１の、前記「猫」の図柄の箇所のみが、台紙１２より容易に剥離されるようになっている。
【００２６】
ここで、前記「猫」の図柄は、複数のパーツに分割されて構成される。
特に、本実施形態においては、これらの「猫」の図柄を構成する複数のパーツについては、自走式掃除機１００の上面を構成する複数の部品（以下、「上面構成部品群」と記載する）の形状に基づいて、形成することとしている。
【００２７】
具体的には、図４に示すように、例えば、自走式掃除機１００の上面は、円盤形状の表面カバー１０１や、該表面カバー１０１の内側（平面部の中央側。以下同じ。）において該表面カバー１０１と同軸上に配設される円盤形状の操作パネル１０２や、該操作パネル１０２の内側において該操作パネル１０２と同軸上に配設される円盤形状の操作ボタン１０３や、該操作ボタン１０３の内側において該操作ボタン１０３と同軸上に配設される円盤形状の起動ボタン１０４や、前記表面カバー１０１の内側且つ前記操作パネル１０２の外側（平面視における操作パネル１０２の外側）に配設される弧形状の取手１０５などにより構成される。
【００２８】
そして、図２（ａ）に示すように、表面カバー１０１の形状に基づき前記「猫」の図柄が分断され、本体シート１１Ａが形成される。
また、図２（ｂ）に示すように、操作パネル１０２の形状に基づき前記「猫」の図柄が分断され、第一部分シート１１Ｂが形成される。
また、図２（ｃ）に示すように、操作ボタン１０３の形状に基づき前記「猫」の図柄が分断され、第二部分シート１１Ｃが形成される。
また、図２（ｄ）に示すように、起動ボタン１０４の形状に基づき前記「猫」の図柄が分断され、第三部分シート１１Ｄが形成される。
さらに、図２（ｅ）に示すように、取手１０５の形状に基づき前記「猫」の図柄が分断され、第四部分シート１１Ｅが形成されるのである。
【００２９】
このように、図３に示すように、本実施形態における装飾シール１Ａにおいては、装飾シート１１における「猫」の図柄（より具体的には、本体シート１１Ａ、第一部分シート１１Ｂ、第二部分シート１１Ｃ、第三部分シート１１Ｄ、及び取手１０１Ｅ）が、「上面構成部品群」の各々の形状に基づいて、分断された構成となっている。
よって、自走式掃除機１００の上面における部品間の高低差に影響されることなく、前記自走式掃除機１００の上面と、装飾シート１１における「猫」の図柄との密着性は十分に確保されるのである。
【００３０】
ところで、第一実施形態における装飾具１は、平面視における自走式掃除機１００の形態を、デフォルメされた「猫」の形態に擬態化させるためのものである。
この際、装飾具１においては、前記「猫」の形態の尻尾の部分を擬態化する部品として、付属部品１Ｂが備えられている。
【００３１】
ここで、付属部品１Ｂは、植毛が施された延出部材からなり、その一端部には、略「Ｊ」字形状の掛止部１ｂが突設されている。
一方、装飾シール１Ａにおいて、本体シート１１Ａの表面上の後部には、略「Ｕ」字形状の被掛止部材１４が突設されている。
【００３２】
なお、図４に示すように、被掛止部材１４については、本体シート１１Ａを介することなく、自走式掃除機１００の上面に直接突設させる構成としてもよい。この際、本体シート１１Ａ側においては、被掛止部材１４との干渉を避けるために、切欠きなどを形成しておくことは言うまでもない。
【００３３】
そして、図３に示すように、自走式掃除機１００の上面に貼設された本体シート１１Ａに対して、付属部品１Ｂは、掛止部１ｂを介して、被掛止部材１４に掛止される。
このように、装飾シート１Ａが貼設された自走式掃除機１００対して、付属部品１Ｂを設けることで、該自走式掃除機１００の平面視における形態は、愛らしい「猫」の形態に擬態化されることとなるのである。
【００３４】
また、付属部品１Ｂの他端部は、該付属部品１Ｂが被掛止部材１４に掛止された状態において、床面に接触した状態となっている。つまり、自走式掃除機１００の自走に伴って、付属部品１Ｂは、他端部を床面にこすりつけながら予想外の動きを生ずることとなる。
従って、このような動きを伴う付属部品１Ｂを備えることで、自走式掃除機１００の平面視における形態は、より一層愛らしい「猫」の形態に擬態化されることとなるのである。
【００３５】
また、自走式掃除機１００が自走するたびに、地面に放置された粉塵が、付属部品１Ｂによって払拭されることとなる。
従って、付属部品１Ｂを備えることで、自走式掃除機１００の集塵機能は、より向上するのである。
【００３６】
さらに、図４に示すように、自走式掃除機１００の排気口１０６は、本体部の後部に設けられることが多く、付属部品１Ｂによって、前記排気口１０６の一部が覆われた状態となる場合もある。
このような場合、付属部品１Ｂによって、排気口１０６内への細かな粉塵などの侵入を効果的に防止することができるのである。
【００３７】
こうして、自走式掃除機１００の上面に、装飾シート１１の図柄が貼設され、且つ付属部品１Ｂが連結されることにより、前記自走式掃除機１００の形態は、最も人の目に付く平面視の形態において、装飾具１によって装飾されることとなり、前記自走式掃除機１００の各使用者の好みに応じた形態、例えば、あたかも自走する愛らしい「猫」のように擬態化されるのである。
【００３８】
なお、第一実施形態における装飾具１においては、装飾シート１１の表面に印刷される図柄を、デフォルメされた「猫」としているが、これに限定されるものではなく、例えばデフォルメされた「犬」などのような、尻尾を有する愛らしい動物であればよい。
【００３９】
［自走式掃除機用装飾具２０１（第二実施形態）］
次に、第二実施形態における自走式掃除機用装飾具２０１の構成について、図５乃至図７を用いて説明する。
なお、以下の説明に関しては便宜上、図７における矢印Ａの方向を前方と規定して記述する。
【００４０】
第二実施形態における自走式掃除機用装飾具２０１（以下、「装飾具２０１」と記載する）は、前述した第一実施形態における装飾具１と略同等な構成を備える一方、装飾シート２１１（図５（ａ）を参照）の表面に印刷される図柄の内容について、前記装飾具１と大きく相異する。
よって、以下の説明においては、主に、第一実施形態の装飾具１との相異点について記載し、該装飾具１との同等な構成についての記載は省略する。
【００４１】
装飾具２０１は、図７に示すように、装飾手段である装飾シール２０１Ａにより構成される。
前記装飾シール２０１Ａは、自走式掃除機１００の上面の略全面に貼着され、平面視における該自走式掃除機１００の形態を装飾するためのものである。
装飾シール２０１Ａは、図５（ｂ）に示すように、装飾シート２１１や台紙２１２などにより構成される。
【００４２】
ここで、装飾シート２１１の表面には、後述する所定の図柄が印刷される。また、装飾シート２１１の裏面には、昜剥離性粘着剤からなる粘着層２１３が形成される。
そして、装飾シート２１１は、粘着層２１３を介して、台紙１２と剥離可能に仮着される。
【００４３】
なお、装飾シート２１１の構成については、本実施形態に示されるような一枚のシート状のものに限られず、例えば、複数のシート状の部材からなる積層構造のものや、二枚のシート状部材の間にクッション部材を設けた構造のものなどであってもよい。
【００４４】
このような構成からなる装飾シール２０１Ａにおいて、装飾シート２１１の表面には、自走式掃除機１００の各使用者の好みに応じた形態、例えば、所定の生き物に関する図柄が印刷される。
即ち、図５（ａ）に示すように、第二実施形態における装飾シート２１１の表面には、デフォルメされた「ライオン」の図柄が印刷される。
【００４５】
前記「ライオン」の図柄の輪郭２１１ａは、自走式掃除機１００の上面の輪郭に即して描かれている。また、装飾シート２１１には、台紙２１２にまで到達する切込みが、前記輪郭２１１ａを表す曲線上に入れられている。
これにより、装飾シート２１１の、前記「ライオン」の図柄の箇所のみが、台紙２１２より容易に剥離されるようになっている。
【００４６】
ここで、前記「ライオン」の図柄は、複数のパーツに分割されて構成される。
特に、本実施形態においては、これらの「ライオン」の図柄を構成する複数のパーツについては、自走式掃除機１００の上面を構成する複数の部品（以下、「上面構成部品群」と記載する）の形状に基づいて、形成することとしている。
【００４７】
具体的には、図６（ａ）に示すように、表面カバー１０１（図４を参照）の形状に基づき前記「ライオン」の図柄が分断され、本体シート２１１Ａが形成される。
また、図６（ｂ）に示すように、操作パネル１０２（図４を参照）の形状に基づき前記「ライオン」の図柄が分断され、第一部分シート２１１Ｂが形成される。
また、図６（ｃ）に示すように、操作ボタン１０３（図４を参照）の形状に基づき前記「ライオン」の図柄が分断され、第二部分シート２１１Ｃが形成される。
さらに、図６（ｄ）に示すように、起動ボタン１０４（図４を参照）の形状に基づき前記「ライオン」の図柄が分断され、第三部分シート２１１Ｄが形成されるのである。
【００４８】
このように、本実施形態における装飾シール２０１Ａにおいては、装飾シート２１１における「ライオン」の図柄（より具体的には、本体シート２１１Ａ、第一部分シート２１１Ｂ、第二部分シート２１１Ｃ、第三部分シート２１１Ｄ）が、「上面構成部品群」の各々の形状に基づいて、分断された構成となっている。
よって、自走式掃除機１００の上面における部品間の高低差に影響されることなく、前記自走式掃除機１００の上面と、装飾シート２１１における「ライオン」の図柄との密着性は十分に確保されるのである。
【００４９】
こうして、自走式掃除機１００の上面に、装飾シート２１１の図柄が貼設されることにより、前記自走式掃除機１００の形態は、最も人の目に付く平面視の形態において、装飾具２０１によって装飾されることとなり、前記自走式掃除機１００の各使用者の好みに応じた形態、例えば、あたかも自走する愛らしい「ライオン」のように擬態化されるのである。
【００５０】
［自走式掃除機用装飾具３０１（第三実施形態）］
次に、第三実施形態における自走式掃除機用装飾具３０１の構成について、図８乃至図１０を用いて説明する。
なお、以下の説明に関しては便宜上、図１０における矢印Ａの方向を前方と規定して記述する。
【００５１】
第三実施形態における自走式掃除機用装飾具３０１（以下、「装飾具３０１」と記載する）は、前述した第一実施形態における装飾具１と略同等な構成を備える一方、装飾シート３１１（図８（ａ）を参照）の表面に印刷される図柄の内容について、前記装飾具１と大きく相異する。
よって、以下の説明においては、主に、第一実施形態の装飾具１との相異点について記載し、該装飾具１との同等な構成についての記載は省略する。
【００５２】
装飾具３０１は、図１０に示すように、装飾手段である装飾シール３０１Ａにより構成される。
前記装飾シール３０１Ａは、自走式掃除機１００の上面の略全面に貼着され、平面視における該自走式掃除機１００の形態を装飾するためのものである。
装飾シール３０１Ａは、図８（ｂ）に示すように、装飾シート３１１や台紙３１２などにより構成される。
【００５３】
ここで、装飾シート３１１の表面には、後述する所定の図柄が印刷される。また、装飾シート３１１の裏面には、昜剥離性粘着剤からなる粘着層３１３が形成される。
そして、装飾シート３１１は、粘着層３１３を介して、台紙３１２と剥離可能に仮着される。
【００５４】
なお、装飾シート３１１の構成については、本実施形態に示されるような一枚のシート状のものに限られず、例えば、複数のシート状の部材からなる積層構造のものや、二枚のシート状部材の間にクッション部材を設けた構造のものなどであってもよい。
【００５５】
このような構成からなる装飾シール３０１Ａにおいて、装飾シート３１１の表面には、自走式掃除機１００の各使用者の好みに応じた形態、例えば、所定の生き物に関する図柄が印刷される。
即ち、図８（ａ）に示すように、第三実施形態における装飾シート３１１の表面には、「想像上のキャラクター」の図柄が印刷される。
【００５６】
前記「想像上のキャラクター」の図柄の輪郭３１１ａは、自走式掃除機１００の上面の輪郭に即して描かれている。また、装飾シート３１１には、台紙３１２にまで到達する切込みが、前記輪郭３１１ａを表す曲線上に入れられている。
これにより、装飾シート３１１の、前記「想像上のキャラクター」の図柄の箇所のみが、台紙３１２より容易に剥離されるようになっている。
【００５７】
ここで、前記「想像上のキャラクター」の図柄は、複数のパーツに分割されて構成される。
特に、本実施形態においては、これらの「想像上のキャラクター」の図柄を構成する複数のパーツについては、自走式掃除機１００の上面を構成する複数の部品（以下、「上面構成部品群」と記載する）の形状に基づいて、形成することとしている。
【００５８】
具体的には、図９（ａ）に示すように、表面カバー１０１（図４を参照）の形状に基づき前記「想像上のキャラクター」の図柄が分断され、本体シート３１１Ａが形成される。
また、図９（ｂ）に示すように、操作パネル１０２（図４を参照）の形状に基づき前記「想像上のキャラクター」の図柄が分断され、第一部分シート３１１Ｂが形成される。
また、図９（ｃ）に示すように、操作ボタン１０３（図４を参照）の形状に基づき前記「想像上のキャラクター」の図柄が分断され、第二部分シート３１１Ｃが形成される。
また、図９（ｄ）に示すように、起動ボタン１０４（図４を参照）の形状に基づき前記「想像上のキャラクター」の図柄が分断され、第三部分シート３１１Ｄが形成される。
さらに、図９（ｅ）に示すように、取手１０５（図４を参照）の形状に基づき前記「想像上のキャラクター」の図柄が分断され、第四部分シート３１１Ｅが形成されるのである。
【００５９】
このように、本実施形態における装飾シール３０１Ａにおいては、装飾シート３１１における「想像上のキャラクター」の図柄（より具体的には、本体シート３１１Ａ、第一部分シート３１１Ｂ、第二部分シート３１１Ｃ、第三部分シート３１１Ｄ、第四部分シート３１１Ｅ）が、「上面構成部品群」の各々の形状に基づいて、分断された構成となっている。
よって、自走式掃除機１００の上面における部品間の高低差に影響されることなく、前記自走式掃除機１００の上面と、装飾シート３１１における「想像上のキャラクター」の図柄との密着性は十分に確保されるのである。
【００６０】
こうして、自走式掃除機１００の上面に、装飾シート３１１の図柄が貼設されることにより、前記自走式掃除機１００の形態は、最も人の目に付く平面視の形態において、装飾具３０１によって装飾されることとなり、前記自走式掃除機１００の各使用者の好みに応じた形態、例えば、あたかも自走する愛らしい「想像上のキャラクター」のように擬態化されるのである。
【００６１】
［自走式掃除機用装飾具４０１（別実施形態）］
次に、別実施形態における自走式掃除機用装飾具４０１の構成について、図１１を用いて説明する。
なお、以下の説明に関しては便宜上、図１１における矢印Ａの方向を前方と規定して記述する。
【００６２】
前述した第一乃至第三実施形態における装飾具１・２０１・３０１においては、何れも、デフォルメされた「猫」や「ライオン」や「想像上のキャラクター」などの図柄が印刷された装飾シート１１・２１１・３１１（より具体的には、装飾シール１Ａ・２０１Ａ・３０１Ａ）を用いて、自走式掃除機１００の平面視の形態を装飾することとしている。
これに対する別実施形態として、例えば、デフォルメされた「猫」や「ライオン」や「想像上のキャラクター」などの図柄が印刷された、装飾手段である装飾カバー４０１Ａを用いて、自走式掃除機１００の平面視の形態を装飾することもできる。
【００６３】
即ち、別実施形態における自走式掃除機用装飾具４０１は、例えば、装飾カバー４０１Ａや付属部品４０１Ｂなどにより構成される。
なお、付属部品４０１Ｂの構成については、前述した第一実施形態における装飾具１の付属部品１Ｂの構成と同等であるため、説明を省略する。
【００６４】
装飾カバー４０１Ａは、円盤状の天板部４１１や、該天板部４１１の左右両端部より下方に向かって突設される側面部４１２・４１２などにより構成され、これらの天板部４１１や側面部４１２・４１２は、互いに一体成形される。
【００６５】
天板部４１１は、自走式掃除機１００の上面（より具体的には、表面カバー１０１（図４を参照））の輪郭に略即して形成される。また、天板部４１１の内側には、自走式掃除機１００の操作パネル１０２や取手１０５と同形状、且つ同位置に形成される第一開口部４１３及び第二開口部４１４が各々設けられる。
一方、側面部４１２は、自走式掃除機１００の側面部に沿って、平面視円弧状に形成される。
【００６６】
そして、天板部４１１の上面に、自走式掃除機１００の各使用者の好みに応じた形態、例えば本実施形態においては、デフォルメされた「猫」の図柄が予め印刷されている。
このような構成からなる装飾カバー４０１Ａを、自走式掃除機１００に対して上方より被覆（装着）させることにより、該自走式掃除機１００の平面視における形態が、容易に愛らしい「猫」の形態に擬態化されることとなるのである。
また、この際、装飾カバー４０１Ａの側面部４１２・４１２は、ともに自走式掃除機１００の左右両側面に当接された状態となり、該自走式掃除機の前端部に配設されるバンパー１０７や、後端部に配設される排気口１０６が、前記装飾カバー４０１Ａ（より具体的には、側面部４１２・４１２）によって塞がれることもない。
【００６７】
なお、本実施形態においては、装飾カバー４０１Ａに予め印刷された図柄が、デフォルメされた「猫」である場合について説明したが、これに限定されるものではなく、例えば、デフォルメされた「ライオン」や「想像上のキャラクター」などに関する図柄を装飾カバーに予め印刷していてもよい。
但し、前述した第二及び第三実施形態と同じく、デフォルメされた「ライオン」や「想像上のキャラクター」などに関する図柄が印刷された装飾カバーを用いる場合は、付属部品４０１Ｂを用いる必要がない。
【００６８】
また、自走式掃除機１００の操作パネル１０２や取手１０５は、装飾カバー４０１Ａによって被覆されることなく、第一開口部４１３及び第二開口部４１４を介して露呈されることとなる。
ここで、これらの操作パネル１０２や取手１０５に図柄を設ける必要がある場合は、前述した第一部分シート１１Ｂ・２１１Ｂ・３１１Ｂや第四部分シート１１Ｅ・３１１Ｅなどによって対応することとなる。
【００６９】
以上に示したように、本実施形態における自走式掃除機用装飾具１（２０１、３０１、又は４０１）は、自走機能を備える円盤状の自走式掃除機１００を装飾するための自走式掃除機用装飾具であって、前記自走式掃除機１００の上面を装飾する、装飾シート１１（２１１、又は３１１）や装飾カバー４０１Ａなどの装飾手段を備える構成となっている。
【００７０】
このような構成を有することで、本実施形態における自走式掃除機用装飾具１（２０１、３０１、又は４０１）によれば、自走機能を備える円盤状の自走式掃除機１００の形態を、各使用者の好みに応じて、容易、且つ低コストで変更することができる。
【００７１】
即ち、本実施形態における自走式掃除機用装飾具１（２０１、３０１、又は４０１）においては、比較的低コストで入手することが可能な装飾シール１Ａ（２０１Ａ、３０１Ａ、又は装飾カバー４０１Ａ）を設け、該装飾シール１Ａ（２０１Ａ、３０１Ａ、又は装飾カバー４０１Ａ）に、予め自走式掃除機１００の各使用者の好みに応じた形態（例えば、あたかも自走する愛らしい生き物を想起させる形態）に関する図柄を印刷しておき、前記装飾シール１Ａ（２０１Ａ、３０１Ａ、又は装飾カバー４０１Ａ）を用いて、自走式掃除機１００の上面を装飾することとしている。
従って、本実施形態における自走式掃除機用装飾具１（２０１、３０１、又は４０１）によれば、例えば、硬質プラスチックからなる自走式掃除機１００の筐体の表面に予め模様を印刷しておき、前記自走式掃除機１００の外観について、各使用者の好みに応じた形態に装飾する場合と比べて、より低コスト、且つ容易に、自走式掃除機１００の最も人の目に付く平面視の形態を、各使用者の好みに応じた形態（例えば、自走する愛らしい「猫」や「ライオン」や「想像上のキャラクター」など）に擬態化させることができるのである。
【００７２】
なお、本実施形態において、装飾シート１１（２１１又は３１１）の裏面には、粘着層１３（２１３又は３１３）が形成されており、該粘着層１３（２１３又は３１３）を介して、前記装飾シート１１（２１１又は３１１）が自走式掃除機１００の上面に貼設されることとなっているが、これに限定されない。
即ち、装飾シート１１（２１１又は３１１）は、粘着層１３（２１３又は３１３）ではなく、マジックテープ（商標登録）を介して、自走式掃除機１００の上面に貼設されることとしてもよい。
【００７３】
また、本実施形態における自走式掃除機用装飾具４０１において、前記装飾手段は、装飾カバー（カバー部材）４０１Ａを有することとしている。
【００７４】
このように、本実施形態における自走式掃除機用装飾具４０１によれば、予め用意された装飾カバー４０１Ａを用いることで、自走式掃除機１００を装飾する際の作業を単純化し、容易なものにすることができる。
【００７５】
また、本実施形態における自走式掃除機用装飾具１（２０１、３０１、又は４０１）において、前記装飾手段は、装飾シール（シール部材）１Ａ（２０１Ａ、又は３０１Ａ）を有することとしている。
【００７６】
このように、本実施形態における自走式掃除機用装飾具１（２０１、３０１、又は４０１）によれば、低コストで入手可能な装飾シール（ステッカー）１Ａ（２０１Ａ、又は３０１Ａ）を用いて、より安価に自走式掃除機の装飾を実現することができる。
【００７７】
また、本実施形態における自走式掃除機用装飾具１（２０１、３０１、又は４０１）において、前記装飾シール（ステッカー）１Ａ（２０１Ａ、又は３０１Ａ）は、複数の構成部材に分割される構成となっている。
【００７８】
このように、本実施形態における装飾シール１Ａ（２０１Ａ、又は３０１Ａ）においては、装飾シート１１（２１１又は３１１）における「猫」（「ライオン」又は「想像上のキャラクター」）の図柄が、複数のパーツ（構成部材）に分割されており、自走式掃除機１００へ貼設する際、狭い箇所でも容易に貼設することができるため、作業性が向上する。
【００７９】
また、本実施形態における装飾シール１Ａ（２０１Ａ、又は３０１Ａ）においては、特に、装飾シート１１（２１１又は３１１）における「猫」（「ライオン」又は「想像上のキャラクター」）の図柄が、「上面構成部品群」の各々の形状に基づいて、分断された構成となっている。
よって、自走式掃除機１００の上面における部品間の高低差に影響されることなく、前記自走式掃除機１００の上面と、装飾シール１Ａ（２０１Ａ、又は３０１Ａ）における「猫」（「ライオン」又は「想像上のキャラクター」）の図柄との密着性は十分に確保されるのである。
【００８０】
また、本実施形態における自走式掃除機用装飾具１（４０１）において、前記装飾手段は、植毛が施され、先端部を床面に接触させつつ、前記自走式掃除機５０に連結される付属部品１Ｂを有する構成となっている。
【００８１】
このような構成を有することから、装飾シート１Ａが貼設された自走式掃除機１００対して、該自走式掃除機１００の平面視における形態は、より一層愛らしい「猫」の形態に擬態化されることとなるのである。
また、付属部品１Ｂの他端部は、該付属部品１Ｂが被掛止部材１４に掛止された状態において、地面に接触した状態となっている。つまり、自走式掃除機１００の自走に伴って、付属部品１Ｂは、他端部を地面にこすりつけながら予想外の動きを生ずることとなる。
従って、このような動きを伴う付属部品１Ｂを備えることで、自走式掃除機１００の平面視における形態は、より一層愛らしい「猫」の形態に擬態化されることとなるのである。
【符号の説明】
【００８２】
１    自走式掃除機用装飾具
１Ａ    装飾シール
１Ｂ    付属部品
１ｂ    掛止部
１４    被掛止部材
１００    自走式掃除機
２０１    自走式掃除機用装飾具
２０１Ａ    装飾シール
３０１    自走式掃除機用装飾具
３０１Ａ    装飾シール
４０１    自走式掃除機用装飾具
４０１Ａ    装飾カバー
【図１】
2014000227.tif 000003
【図２】
2014000227.tif 000004
【図３】
2014000227.tif 000005
【図４】
2014000227.tif 000006
【図１１】
2014000227.tif 000007
【図５】
2014000227.tif 000008
【図６】
2014000227.tif 000009
【図７】
2014000227.tif 000010
【図８】
2014000227.tif 000011
【図９】
2014000227.tif 000012
【図１０】
2014000227.tif 000013